(57)【要約】【課題】自動原稿搬送装置のＡＤＦ原稿ガラスにおける原稿が搬送される側とは反対側の面における埃等の吸着を防止して、スジ画像の発生を防止する。【解決手段】原稿Ｄが搬送される経路の途中に設けられて原稿Ｄを読み取る走査光学系が臨むＡＤＦ原稿ガラス６の原稿が搬送される側とは反対側の面に形成された導電部材６ａを、アース部材である金属フレーム６０に導通して接地することにより、ＡＤＦ原稿ガラス６全体の帯電性能を低下させる。これによりＡＤＦ原稿ガラス６上を通過する原稿および埃等の吸着を防ぐことができる。また、ＡＤＦ原稿ガラス６の原稿Ｄが搬送される側とは反対側の面は原稿Ｄと接触することがないので、導電部材６ａが経時においても磨耗することがなく安定した品質を維持することができる。【選択図】図２
2006129430.tif 000002
【特許請求の範囲】
【請求項１】
原稿を移動させて原稿上の画像を読み取る原稿移動型の画像読取装置であって、原稿移動経路の途中に前記原稿を読み取る走査光学系が臨む読取用の透光部材が設けられた画像読取装置において、前記読取用の透光部材における前記原稿が搬送される側とは反対側の面に形成されて該面に電気伝導性を与える導電部材と、この導電部材に接して設けられてアースを行うアース部材とを備えたことを特徴とする画像読取装置。
【請求項２】
前記透光部材がガラスであることを特徴とする請求項１記載の画像読取装置。
【請求項３】
前記透光部材がプラスチックであることを特徴とする請求項１記載の画像読取装置。
【請求項４】
前記透光部材における前記原稿が搬送される側の面に汚れ防止処理を施したことを特徴とする請求項１〜３いずれか１項記載の画像読取装置。
【請求項５】
前記汚れ防止処理としてフッ素系の薄膜を形成したことを特徴とする請求項４記載の画像読取装置。
【請求項６】
前記汚れ防止処理と前記導電部材の形成による前記透光部材の透過率の低減を、４００ｎｍ〜７２０ｎｍの範囲において１０％以下に抑えたことを特徴とする請求項１または４記載の画像読取装置。
【請求項７】
前記アース部材を装置本体の金属フレームとし、前記透光部材を、該透光部材における前記原稿が搬送される側とは反対側の面で前記アース部材によって支持したことを特徴とする請求項１または４記載の画像読取装置。
【請求項８】
請求項１〜７いずれか１項記載の画像読取装置と、この画像読取装置から出力される画像データに基づいた画像を用紙上に印刷する画像印刷装置とを備えたことを特徴とする画像形成装置。
【発明の詳細な説明】
【技術分野】
【０００１】
本発明は、原稿を移動させて原稿上の画像を読み取る原稿移動型の画像読取装置であって、特に原稿移動経路の途中に前記原稿を読み取る走査光学系が臨む読取用の透光部材が設けられた画像読取装置、およびその画像読取装置を搭載する画像形成装置に関するものである。
【背景技術】
【０００２】
従来、各種画像形成装置に搭載される原稿読取装置としては、比較的大面積の原稿ガラスであるコンタクトガラス上に載置した原稿に対して、コンタクトガラス下部において、光を照射する光源と複数のミラーとを保持した走行体を副走査方向に往復移動させ、ミラーで反射された原稿の画像をレンズを介してＣＣＤ（Charge Coupled Device）に結像させることにより、その原稿の画像を画像データとして出力する画像読取装置が知られている。
【０００３】
また、ＡＤＦ（Automatic Document Feeder：原稿自動送り装置）により原稿を自動給紙し、自動給紙された原稿を光源と複数のミラーとを保持した走行体が位置するＡＤＦ用の原稿ガラス上を通過させ、ミラーで反射された原稿の画像をレンズを介してＣＣＤに結像させることにより、その原稿の画像を画像データとして出力する原稿移動型（シートスルータイプ）の画像読取装置も知られている。
【０００４】
図５はＡＤＦを備えた従来の画像読取装置の構成図、図６は図５の画像読取装置における要部の拡大図であり、給送部１１０では、原稿トレイ１１１に積載された原稿Ｄは、呼び出しローラ１１２の回転により分離ローラ１１３に送られる。この分離ローラ１１３により一番上の原稿Ｄのみが分離されて給紙ローラ１１４に搬送される。給紙ローラ１１４を経てガイド手段１２０である前側ガイド１２１，原稿押さえ板１２２，後側ガイド１２３により形成された搬送路内に案内された原稿Ｄは、ＡＤＦ原稿ガラス１４１上の露光位置で画像が読み取られる。
【０００５】
光学ユニットは画像読取装置１４０内に搭載されており、ＡＤＦ原稿ガラス１４１上を通過する原稿画像面に対して光源１４２から光照射を行い、その反射光が、第１ミラー１４３，第２ミラー１４４，第３ミラー１４５を介してレンズ１４６を通過することにより、画像処理基板１４７上のＣＣＤ１４８に結像される。
【０００６】
前記ＡＤＦ原稿ガラス１４１上を移動しながら画像を読み取られた原稿Ｄは、後側ガイド１２３に案内され、排紙部１３０の排紙ローラ１３１により図示しない排紙トレイに排紙される。
【０００７】
なお、図中の符号１４９は、原稿載置用のコンタクトガラスであり、例えばＡＤＦを使用することができないＢＯＯＫタイプの原稿を読み取る場合に用いられる。
【０００８】
ところで、ＡＤＦを備えた画像読取装置においては、原稿Ｄからゴミや塵等の付着物がＡＤＦ原稿ガラス１４１上に移り、これにより画像に縦スジが発生するということがある。また、ＡＤＦ原稿ガラス１４１が擦れることによりＡＤＦ原稿ガラス１４１が帯電してしまうため、付着したゴミや塵等が移動しにくくなるという問題があった。
【０００９】
これらの問題に対しては、例えば原稿ガラス表面に導電処理を施し、接地部材を設けることにより帯電を防止しているものが知られているが、原稿ガラスの裏面は微量に帯電しており、埃が付着して読取画像に縦スジが発生するという問題があった。
【００１０】
原稿ガラスの表面であればユーザ等によって清掃してもらうという方法も考えられるが、原稿ガラスの裏面であると該原稿ガラスを押えているスケール等を所定部位から外す必要があり、ユーザとしてはかなりの手間であって、メンテナンスが容易でないという問題があった。
【００１１】
従来技術として特許文献１に記載されているような清掃用パッドを用いたものや、特許文献２に記載されているようなユーザメンテナンスが簡易にできる構成のものが提案されている。特許文献１，２に提案されているものは、装置が大掛かりで製造コストがかさむという点で不具合があり、またユーザがメンテナンスをしなくてはならず手間がかかるものであった。
【００１２】
また、帯電を防止する方法としては、例えば、特許文献３に記載されたようなものがある。この方法は、原稿の接触面に導電処理が施されたＡＤＦ原稿ガラスと、この原稿ガラスの端部に設けられ、原稿の端部を突き当てて原稿の読取位置を揃える原稿スケールと、原稿スケールの下面に両面テープ等で取付けられ、かつ一端部がＡＤＦ原稿ガラスの導電処理面に接触するとともに、他端部が金属フレームに接触してＡＤＦ原稿ガラスに帯電した静電気を金属フレーム側に落とすアース板とを備えている。
【特許文献１】特開平７−２３９６０４号公報
【特許文献２】特開平１１−７２９７５号公報
【特許文献３】特開平１０−３０７３４５号公報
【発明の開示】
【発明が解決しようとする課題】
【００１３】
しかしながら、前記従来の従来の画像読取装置にあっては、原稿スケールに両面テープによってアース板を取付けているため、アース板の取付け作業が煩雑である上に、原稿スケールが樹脂部材からなる場合には、アース板を取外した後に破損したりして、原稿スケールのリサイクルを行うことができないおそれがある。
【００１４】
金属性の原稿スケールを用いればアース板が不要になるが、この場合には、原稿スケールの加工コストが高い上に、走査光学系の光源の熱によって原稿スケールが高温になってしまう。
【００１５】
また、板バネのようなアース板で、ＡＤＦ原稿ガラスを金属フレームにビス止め等によって固定することが考えられるが、このようにした場合には、ＡＤＦ原稿ガラスの着脱性が低下してしまい、メンテナンス時に余計な作業が発生してしまう。
【００１６】
本発明は、前記従来技術の課題を解決し、原稿ガラス等の読取用の透光部材における帯電力を低減させ、塵埃等によるスジ画像の発生しない画像読取装置および画像形成装置を提供することを目的とする。
【課題を解決するための手段】
【００１７】
前記目的を達成するため、請求項１に記載の発明は、原稿を移動させて原稿上の画像を読み取る原稿移動型の画像読取装置であって、原稿移動経路の途中に前記原稿を読み取る走査光学系が臨む読取用の透光部材が設けられた画像読取装置において、前記読取用の透光部材における前記原稿が搬送される側とは反対側の面に形成されて該面に電気伝導性を与える導電部材と、この導電部材に接して設けられてアースを行うアース部材とを備えたことを特徴とし、この構成によって、裏面にアース部材を追加してアースをしたことにより、透光部材の裏面に帯電することがないため裏面に埃が付着することを防ぐことができ、また、裏面で接地することにより透光部材の表面における帯電も、処理をしていない透光部材に比較して十分に小さくすることができ、原稿および埃の吸着を防ぐことができる。さらに原稿と触れ合うことがないため、導電処理が経時においても磨耗することがなく、安定した品質を維持することが可能になる。
【００１８】
請求項２に記載の発明は、請求項１記載の画像読取装置において、透光部材がガラスであることを特徴とする。
【００１９】
請求項３に記載の発明は、請求項１記載の画像読取装置において、透光部材がプラスチックであることを特徴とし、透光部材をプラスチックにすることで低コスト化が図れ、またプラスチックは帯電しやすいので導電部材でアースして帯電防止する効果が高いため、埃の付着が低減できスジの無い安定した画像を供給することが可能になる。
【００２０】
請求項４に記載の発明は、請求項１〜３いずれか１項記載の画像読取装置において、透光部材における原稿が搬送される側の面に汚れ防止処理を施したことを特徴とし、この構成によって、原稿の汚れや埃が透光部材表面に付くことを防止することができる。
【００２１】
請求項５に記載の発明は、請求項４記載の画像読取装置において、汚れ防止処理としてフッ素系の薄膜を形成したことを特徴とする。
【００２２】
請求項６に記載の発明は、請求項１または４記載の画像読取装置において、汚れ防止処理と導電部材の形成による透光部材の透過率の低減を、４００ｎｍ〜７２０ｎｍの範囲において１０％以下に抑えたことを特徴とし、この構成によって、初期光量の低下を防止することができ、また原稿との摩擦によって汚れ防止処理が一部削れた場合においても、画像全面での光量の変化が最大１０％以下となり、画像濃度の局所的ムラが発生しない。そのため長期にわたって安定した画像の読み取りができる。
【００２３】
請求項７に記載の発明は、請求項１または４記載の画像読取装置において、アース部材を装置本体の金属フレームとし、透光部材を、該透光部材における原稿が搬送される側とは反対側の面でアース部材によって支持したことを特徴とし、この構成によって、透光部材の原稿が搬送される側とは反対側の面に導電部材が設けられていることにより、アース部材である金属フレームに透光部材を置くだけで透光部材を接地させることができ、通常の読取装置構成を変更することなく、また他部材を介在させることなく簡便に接地することができる。
【００２４】
請求項８に記載の発明は、請求項１〜７いずれか１項記載の画像読取装置と、この画像読取装置から出力される画像データに基づいた画像を用紙上に印刷する画像印刷装置とを備えたことを特徴とする画像形成装置であって、この構成によって、スジのない安定した画像を形成することが可能になる。
【発明の効果】
【００２５】
本発明によれば、原稿移動経路の途中に前記原稿を読み取る走査光学系が臨む読取用の透光部材において、原稿が搬送される側とは反対側の面における塵埃等の吸着を防止することができることにより、スジ画像の発生を防止することができる。
【発明を実施するための最良の形態】
【００２６】
本発明の実施の形態を図１および図２に基づいて説明する。
【００２７】
本実施形態は画像読取装置としてパーソナルコンピュータ等の外部装置に接続されて使用されるカラーイメージスキャナに本発明を適用したものである。
【００２８】
図１はカラーイメージスキャナ１の内部構造を概略的に示す縦断側面図であり、カラーイメージスキャナ１は、スキャナ本体２と、スキャナ本体２の上部に設けられたＡＤＦ（原稿自動送り装置）の一種であるＲＡＤＦ（両面原稿自動送り装置）３とから構成されている。なお、このＲＡＤＦ３の底部には、白色の樹脂シートである原稿押え部材３ａが設けられており、この原稿押え部材３ａは圧板としても機能する。
【００２９】
まず、スキャナ本体２について説明する。スキャナ本体２の筐体４の上面には、原稿固定モードでの原稿画像の読取時に原稿が載置される載置原稿用ガラス５と、原稿搬送モードでの原稿画像の読取時に使用される読取用の透光部材であるＡＤＦ原稿ガラス６とが設けられている。ＡＤＦ原稿ガラス６は、案内経路２２の一部を形成する搬送路形成部材であるガイド部材５１及びガイド部材５２に挟持されている。また、ＡＤＦ原稿ガラス６の下面は、スキャナ本体２の金属フレーム６０（図２参照）に支持されている。なお、ガイド部材５１には、原稿固定モードで載置原稿用ガラス５に原稿を載置する際に原稿を突き当てて読取原稿を正確な位置に位置決めさせる原稿スケール５３が形成されている。
【００３０】
ここで、原稿固定モードとは、載置原稿用ガラス５上に載置された状態の原稿の画像を読み取る動作モードであり、原稿搬送モードとは、ＲＡＤＦ３により原稿を自動給紙し、自動給紙された原稿がＡＤＦ原稿ガラス６上を通過する際にその原稿の画像を読み取る動作モードである。なお、このような動作モードは、筐体４の外側に設けられる本体操作パネル（図示せず）により設定可能である。
【００３１】
また、筐体４の内部であって載置原稿用ガラス５に下方から対向する位置には、光源である照明ランプ（Ｘｅランプ）８およびミラー９を備える第一走行体１０が、載置原稿用ガラス５に沿って副走査方向Ｘに移動自在に配置されている。この第一走行体１０の反射光路には、２個のミラー１１，１２を備える第二走行体１３が、載置原稿用ガラス５に沿って副走査方向Ｘに移動自在に配置されており、この第二走行体１３の反射光路には、レンズ１４を介してカラーイメージセンサであるカラーＣＣＤ（Charge Coupled Device）１５を搭載したＣＣＤ駆動ユニットであるＳＢＵ（Sensor Board Unit）１６が位置している。
【００３２】
走査光学系を構成する第一走行体１０と第二走行体１３には、ステッピングモータ１７がプーリやワイヤ等（いずれも図示せず）により連結されており、図１中左側から右側へ２：１の速度比で同一の副走査方向Ｘに移動自在とされている。すなわち、第一走行体１０と第二走行体１３とによって走査光学系が構成されている。このように２つの走行体１０，１３が移動することにより、載置原稿用ガラス５に載置された原稿の画像がカラーＣＣＤ１５により副走査方向Ｘに読取走査され、原稿読取機構１８が構成される。以上のような原稿読取機構１８の２つの走行体１０，１３が移動することによる原稿の読取走査は、原稿固定モードの設定下で実行される。
【００３３】
また、筐体４の内部下方には、スキャナ本体２およびＲＡＤＦ３を含めたカラーイメージスキャナ１の動作を制御する電装系を構成するＳＣＵ（Scanner Control Unit）１９等のユニット基板が内蔵されている。
【００３４】
次に、原稿搬送モードの設定下において使用されるＲＡＤＦ３について説明する。なお、このような原稿搬送モードの設定下においては、第一走行体１０と第二走行体１３とをＡＤＦ原稿ガラス６の下方に停止させてホームポジションとし、ＲＡＤＦ３により自動給紙される原稿を読取走査するものとする。このＲＡＤＦ３には、原稿搬送モードで原稿を読み取る際に原稿を載置するための原稿台２０と、読み取りが終了した原稿を排出するための排紙部２１と、原稿台２０から排紙部２１へ連通する案内経路２２と、両面読取モードにおいて原稿を反転させる反転部２３とが設けられている。ここで、両面読取モードとは、原稿搬送モードの一つであって、ＲＡＤＦ３により原稿を自動給紙して表面の画像を読取走査した後に、原稿を反転させて裏面の画像を読取走査する動作モードである。
【００３５】
原稿台２０には、載置された原稿を案内経路２２へ搬送する際に、原稿の両側端を案内する原稿ガイド２４が設けられている。また、原稿台２０には、原稿搬送モードで原稿を読み取る際に、原稿台２０の上に原稿が載置されているか否かを検出するセットセンサ２５、原稿台２０上に載置された原稿のサイズを検知する幅サイズ検知センサ２６、原稿長さセンサ２７，２８、および原稿の後端を検出する原稿後端センサ３０が設けられている。
【００３６】
本実施の形態では、セットセンサ２５、幅サイズ検知センサ２６、原稿長さセンサ２７，２８、原稿後端センサ３０は、ともに反射型の光センサである。これらのセンサ類により、原稿搬送モードでは、用紙指定キーや置数キーの押し下げによる原稿のサイズの指定がない場合にも、原稿台２０の上に載置された原稿のサイズが自動的に指定される。
【００３７】
案内経路２２の原稿台２０側には、原稿台２０に載置された原稿を一枚ずつ分離して給送するための呼び出しコロ３１、分離コロ３２、および搬送コロ３３に巻回されて原稿をＡＤＦ原稿ガラス６へ搬送するための給紙ベルト３４が設けられている。これらの呼び出しコロ３１、分離コロ３２、搬送コロ３３は、給紙モータ（図示せず）によって駆動される。つまり、呼び出しコロ３１、分離コロ３２、搬送コロ３３が給紙モータにより回転駆動されることにより、原稿台２０の上に載置された原稿が一枚ずつ案内経路２２に給紙されることになる。
【００３８】
加えて、案内経路２２には、原稿を搬送するための第一搬送ローラ３５および第二搬送ローラ３６、案内経路２２中の原稿を排紙部２１へ搬送するための排紙ローラ３７が設けられている。なお、第一搬送ローラ３５と第二搬送ローラ３６との間の案内経路２２に、ＡＤＦ原稿ガラス６が位置している。これらの第一搬送ローラ３５、第二搬送ローラ３６、排紙ローラ３７は、ステッピングモータ（図示せず）によって駆動される。さらに、第一搬送ローラ３５と第二搬送ローラ３６間のＡＤＦ原稿ガラス６上には、案内経路２２の一部を形成する搬送路形成部材であって、主走査方向Ｙに延びる帯状のガイド部材３８が設けられている。なお、このガイド部材３８は、カラーＣＣＤ１５のシェーディング補正を行うためにも用いられる。したがって、原稿台２０から案内経路２２に給紙された原稿は、第一搬送ローラ３５、第二搬送ローラ３６、排紙ローラ３７がステッピングモータにより回転駆動されることにより、ガイド部材３８とＡＤＦ原稿ガラス６との間を案内されることになる。
【００３９】
また、反転部２３には、一端が案内経路２２の途中から分岐する分岐点３９に連通する反転路４０を形成する反転テーブル４１が設けられている。この反転テーブル４１には、給紙／反転モータ（図示せず）により正逆回転自在に駆動される反転ローラ４２が設けられている。また、この反転路４０には、支軸４３を回動中心として回動自在な分岐爪４４が取り付けられている。この分岐爪４４は、支軸４３の回動によって反転路４０を案内経路２２に対して開閉することにより、排紙ローラ３７によって搬送された原稿を反転部２３と排紙部２１とのいずれか一方に振り分けるものである。つまり、原稿搬送モードの一つである両面読取モードの設定下においては、分岐爪４４は、支軸４３の回動によって反転路４０を案内経路２２に対して開放し、排紙ローラ３７によって搬送された原稿を反転路４０に案内した後、表裏が逆転した状態の原稿を反転ローラ４２により案内経路２２に再度搬送する。
【００４０】
なお、原稿固定モード、原稿搬送モード、原稿搬送モードの一つである両面読取モード等の各種モードにおける原稿の給紙搬送動作の流れ、および原稿の反転動作の流れについては、公知の技術であるため説明を省略する。
【００４１】
次に、本実施の形態の特徴的な構成について説明する。図２は、ＡＤＦ原稿ガラス６近傍を拡大して示す縦断側面図である。
【００４２】
上述したように、原稿搬送モードにおいては、原稿台２０から案内経路２２に給紙された原稿Ｄが、ガイド部材３８とＡＤＦ原稿ガラス６との間を案内されることになる。この際、原稿ＤとＡＤＦ原稿ガラス６が擦れることにより静電気が発生し、ＡＤＦ原稿ガラス６が帯電してしまうおそれがある。ＡＤＦ原稿ガラス６が帯電してしまうと、ＡＤＦ原稿ガラス６にゴミや塵等を吸着するという不具合が発生する。このようにＡＤＦ原稿ガラス６にゴミや塵等を吸着した場合には、画像に縦スジが発生するという不具合がある。
【００４３】
そこで、本実施の形態においては、ＡＤＦ原稿ガラス６におけるガイド部材３８側（図１中上側）とは反対側（図１中下側）の面に対して、導電処理を施している。ＡＤＦ原稿ガラス６に対する導電処理は、例えば真空蒸着法やＣＶＤ法によりＡＤＦ原稿ガラス６の下面に導電部材である導電被膜６ａを形成することによって行われる。
【００４４】
そして、前述したように、ＡＤＦ原稿ガラス６の下面は、スキャナ本体２の金属フレーム６０に支持されている。すなわち、ＡＤＦ原稿ガラス６の下面に形成された導電被膜６ａは、アース部材である金属フレーム６０に導通して接地されることになるので、ＡＤＦ原稿ガラス６をスキャナ本体２の金属フレーム６０に置くだけで、ＡＤＦ原稿ガラス６の下面に静電気が帯電するのを防止することができる。このように、ＡＤＦ原稿ガラス６の下面に導電被膜６ａを形成して接地するようにしたことにより、ＡＤＦ原稿ガラス６全体の帯電性能も低下するため、導電処理をしていないガラスに比較してＡＤＦ原稿ガラス６の上面の帯電性能も半分以下にすることができ、ＡＤＦ原稿ガラス６の上面を通過する原稿Ｄおよび埃等の吸着を防ぐことが可能になる。
【００４５】
なお、ＡＤＦ原稿ガラス６の下面は原稿Ｄと接触することがないので、導電被膜６ａが経時においても磨耗することがなく安定した品質を維持することが可能になる。すなわち、本実施の形態によれば、ＡＤＦ原稿ガラス６の下面が導電処理されていることにより、金属フレーム６０に置くだけでＡＤＦ原稿ガラス６を接地させることが可能になり、通常の読取装置構成を変更することなく、また他部材を介在させることなしに簡便に接地することが可能になる。
【００４６】
図３に導電処理をしていないガラスと、裏面に導電処理を施したガラスの原稿を通紙した後のガラス表面の帯電量を示す。図３に示すように、ガラス表面の帯電量で１／５以下、また瞬間的にしか帯電しないため、ガラス表面を通過する原稿および埃のガラスへの吸着を防ぐことできることが分かる。
【００４７】
加えて、ＡＤＦ原稿ガラス６の上面には、撥水処理や粘着防止処理等の汚れ防止処理が施されている。一般に、このような汚れ防止処理等のコートの類は、導電処理を施した後に行うと、耐久性が悪くなったりコート自体が剥がれ易くなるという問題がある。しかしながら、本実施の形態のように、ＡＤＦ原稿ガラス６の下面にのみ導電処理を施すようにしたことにより、ＡＤＦ原稿ガラス６の上面に施したコートの寿命を延ばすことを可能になり、導電被膜６ａ自体も原稿Ｄと接触することがないので、常時安定して性能を維持することが可能になる。
【００４８】
汚れ防止処理としてはフッ素系の薄膜を形成することが考えられる。このフッ素系の薄膜によりコート汚れは付着しにくくなるが、原稿との摩擦により非常に帯電しやすいので導電部材により帯電を防止することにより、ＡＤＦ原稿ガラス６の表面と裏面において、より高い埃の付着防止が可能になる。
【００４９】
また、前記汚れ防止処理と前記導電処理は透光部材の透過率の低減を４００ｎｍ〜７２０ｎｍの範囲において１０％以下になるような配分にしてある。これにより初期光量を確保が可能になり、また、原稿との摩擦によって表面の汚れ防止処理が一部削れた場合に透過光量に違いが生じ、画像全面での光量の変化が発生してしまうため、濃度ムラとなってしまうが、本構成の場合は透過光量の差によるムラを最大でも１０％以下にすることができる。そのため長期にわたって安定して画像を提供することが可能になる。
【００５０】
このように本実施の形態によれば、原稿が搬送される経路の途中に設けられて原稿を読み取る走査光学系を臨むＡＤＦ原稿ガラス６の原稿が搬送される側とは反対側の面に形成された導電被膜６ａは、金属フレーム６０に導通して接地されることにより、ＡＤＦ原稿ガラス６全体の帯電性能も低下するため、導電処理をしていないガラスに比較してＡＤＦ原稿ガラス６の原稿が搬送される側の面の帯電性能も半分以下にすることが可能になり、ＡＤＦ原稿ガラス６上を通過する原稿および埃等の吸着を防ぐことが可能になる。また、ＡＤＦ原稿ガラス６の原稿が搬送される側とは反対側の面は原稿と接触することがないので、導電被膜６ａが経時においても磨耗することがなく安定した品質を維持することが可能になる。これにより、ＡＤＦ原稿ガラス６の原稿が搬送される側とは反対側の面における埃等の吸着を防止することができることにより、スジ画像の発生を防止することができる。
【００５１】
なお、前記実施の形態では、読取用の透光部材としてＡＤＦ原稿ガラス６を使用しているが、透光部材をプラスチックにすることにより低コスト化を図ることができる。また、プラスチックは帯電しやすいため、前記のように導電部材でアースして帯電防止する効果が高くなるため、より埃の付着が低減できスジのない安定した画像を供給することが可能になる。また、プラスチックの裏面に導電処理を施すことにより、表面に汚れ防止用の撥水処理等の膜を形成した場合の寿命を延ばすことが可能になる。
【００５２】
次に、本発明に係る画像形成装置の実施の形態について図４を参照して説明する。
【００５３】
図４は実施の形態としての複写機９１の概略構成を示すブロック図であり、この複写機９１は、画像形成装置であって、前記カラーイメージスキャナ１と、該カラーイメージスキャナ１で原稿の画像を読み取った画像データに基づいて、例えば電子写真方式で用紙上に画像の形成を行う画像印刷装置であるカラープリンタ９２からなる。カラープリンタ９２は、電子写真方式のほか、インクジェット方式，昇華型熱転写方式，銀塩写真方式，直接感熱記録方式，溶融型熱転写方式等、種々の印刷方式を適用することができる。その具体的な構成については周知であるため、詳細な説明は省略する。
【００５４】
この複写機９１によれば、前記画像読取装置の実施形態と同様の作用，効果を奏することができる。
【産業上の利用可能性】
【００５５】
本発明は、パーソナルコンピュータ等の外部装置に接続されて使用されるイメージスキャナ、または複写機やファクシミリ装置に備えられるスキャナ部等の画像読取装置および画像形成装置に適用され、特に画像読取部での用紙の紙粉やトナーの飛散付着の影響を受けずに良好な画像読取が要求される画像読取装置に実施して有効である。
【図面の簡単な説明】
【００５６】
【図１】本発明に係る画像読取装置の実施の形態としてのカラーイメージスキャナの内部構造を概略的に示す縦断側面図
【図２】ＡＤＦ原稿ガラス近傍を拡大して示す縦断側面図
【図３】本実施の形態の効果を実証するための導電処理の有無によるガラス表面の帯電量の状態の説明図
【図４】本発明に係る画像形成装置の実施の形態としての複写機の全体構成を示すブロック図
【図５】ＡＤＦを備えた従来の画像読取装置の構成図
【図６】図５の従来の画像読取装置における要部の拡大図
【符号の説明】
【００５７】
１  画像読取装置（カラーイメージスキャナ）
６  ＡＤＦ原稿ガラス
６ａ  導電部材
１０，１３  走査光学系
５１，５２  ガイド部材
６０  金属フレーム（アース部材）
９１  複写機（画像形成装置）
９２  カラープリンタ（画像印刷装置）
【図１】
2006129430.tif 000003
【図２】
2006129430.tif 000004
【図３】
2006129430.tif 000005
【図４】
2006129430.tif 000006
【図５】
2006129430.tif 000007
【図６】
2006129430.tif 000008